(57)【要約】【課題】切り換え段数を多くすることができると共に、強度が強く、かつ、小型化が可能な角度調整金具を提供すること目的とする。【解決手段】第１軸心Ｃ1 廻りに揺動可能なギア部４と、くさび形窓部５と、を具備する。かつ、くさび形窓部５内にて移動可能に配設されかつ一面側がギア部４に噛合可能な歯面７とされ他面側がくさび形窓部５の外方側のくさび面８に当接する当接面９とされて歯面７がギア部４に噛合しかつ当接面９がくさび面８に当接しギア部４が一の方向へ揺動するのを抑制する浮動くさび部材６を、具備する。さらに、ギア部４は、第１軸心Ｃ1 を中心として形成される。かつ、くさび形窓部５のくさび面８は、第１軸心Ｃ1 と偏心する第２軸心Ｃ2 を中心とした円弧形状に形成される。【選択図】    図４  
2005199087.tif 000002
【特許請求の範囲】
【請求項１】
第１軸心（Ｃ1 ）廻りに揺動可能なギア部（４）と、くさび形窓部（５）と、該くさび形窓部（５）内にて移動可能に配設されかつ一面側が上記ギア部（４）に噛合可能な歯面（７）とされ他面側が上記くさび形窓部（５）の外方側のくさび面（８）に当接する当接面（９）とされて該歯面（７）が該ギア部（４）に噛合しかつ該当接面（９）が該くさび面（８）に当接し該ギア部（４）が一の方向へ揺動するのを抑制する浮動くさび部材（６）と、を具備し、
さらに、上記ギア部（４）は、上記第１軸心（Ｃ1 ）を中心として形成され、上記くさび形窓部（５）の上記くさび面（８）は、該第１軸心（Ｃ1 ）と偏心する第２軸心（Ｃ2 ）を中心とした円弧形状に形成されたことを特徴とする角度調整金具。
【請求項２】
上記ギア部（４）の一部に、所定角度を越えて他の方向に揺動すると上記浮動くさび部材（６）を該他の方向に押圧する押し返し突部（10）が、形成され、上記くさび形窓部（５）は、該押し返し突部（10）にて押し返された該浮動くさび部材（６）を収容して上記歯面（７）と上記ギア部（４）との噛合状態を解除させる退避空間部（11）を有し、さらに、上記ギア部（４）の他部に、上記一の方向に揺動させると該退避空間部（11）に収容された該浮動くさび部材（６）を押し出して該歯面（７）と該ギア部（４）とを噛合状態とさせる押し出し突部（12）が、形成された請求項１記載の角度調整金具。
【請求項３】
一対の平行な壁部（17)(17）と、該壁部（17)(17）間に設けられて該壁部（17)(17）と第１軸心（Ｃ1 ）廻りに揺動可能に枢結されるギア部（４）と、上記一対の壁部（17)(17）に形成されるくさび形窓部（５）と、該くさび形窓部（５）内にて移動可能に配設されかつ一面側が上記ギア部（４）に噛合可能な歯面（７）とされ他面側が上記くさび形窓部（５）の外方側のくさび面（８）に当接する当接面（９）とされて該歯面（７）が該ギア部（４）に噛合しかつ該当接面（９）が該くさび面（８）に当接し該ギア部（４）が一の方向へ揺動するのを抑制する浮動くさび部材（６）と、を具備し、
さらに、上記ギア部（４）は、上記第１軸心（Ｃ1 ）を中心として形成され、上記くさび形窓部（５）の上記くさび面（８）は、該第１軸心（Ｃ1 ）と偏心する第２軸心（Ｃ2 ）を中心とした円弧形状に形成されたことを特徴とする角度調整金具。
【請求項４】
上記浮動くさび部材（６）を上記ギア部（４）へ押し付ける方向に弾発付勢する弾発部材（13）を有する請求項１，２又は３記載の角度調整金具。
【請求項５】
上記浮動くさび部材（６）は、上記弾発部材（13）に係止して上記くさび形窓部（５）から脱落するのを防止する係止部（14）が、形成されている請求項４記載の角度調整金具。
【発明の詳細な説明】
【技術分野】
【０００１】
本発明は、一方側の部材と他方側の部材との成す角度を任意に設定できる角度調整金具に関するものである。
【背景技術】
【０００２】
例えば、図１の斜視図に示すような背部15と座部16とを有する座いすは、背部15の傾斜角度を調整できるよう背部15と座部16との間に角度調整機能を有する金具───角度調整金具Ａ───を備えている。
従来のこの金具は、一方側（座部16側）と連結させた第１アームのケース部内に、他方側（背部15側）の第２アームが有するギアと、爪片とを枢支させ、この爪片のギアへの噛合により第１アームに対する第２アームの展開方向（背部15の倒れ方向）への揺動を抑止するよう構成されている（例えば、特許文献１参照）。
【０００３】
第１アームと第２アームとの間に作用する力（揺動を抑止するために必要な力）は、人間の体重を支えることとなり、非常に大きいため、従来の金具は、爪片、ギアの歯が大きくなり、そのため、ギアの歯ピッチも荒くなる。つまり、必要強度の関係で、爪片、ギアを小さくすることができなかった。
従って、爪片、ギアを収納するケース部が大きくなり、また、ギアの歯数は少なく（ピッチが大きく）角度切り換えの段数が少なく、微調整ができないというものであった。
【特許文献１】実公昭５９−２０１１８号公報
【発明の開示】
【発明が解決しようとする課題】
【０００４】
解決しようとする課題は、角度の切り換え段数を多くできない点である。また、構成部品が大きいため金具全体が大きくなってしまう点である。
【課題を解決するための手段】
【０００５】
本発明は、第１軸心廻りに揺動可能なギア部と、くさび形窓部と、該くさび形窓部内にて移動可能に配設されかつ一面側が上記ギア部に噛合可能な歯面とされ他面側が上記くさび形窓部の外方側のくさび面に当接する当接面とされて該歯面が該ギア部に噛合しかつ該当接面が該くさび面に当接し該ギア部が一の方向へ揺動するのを抑制する浮動くさび部材と、を具備し、さらに、上記ギア部は、上記第１軸心を中心として形成され、上記くさび形窓部の上記くさび面は、該第１軸心と偏心する第２軸心を中心とした円弧形状に形成されたものである。
【０００６】
また、上記ギア部の一部に、所定角度を越えて他の方向に揺動すると上記浮動くさび部材を該他の方向に押圧する押し返し突部が、形成され、上記くさび形窓部は、該押し返し突部にて押し返された該浮動くさび部材を収容して上記歯面と上記ギア部との噛合状態を解除させる退避空間部を有し、さらに、上記ギア部の他部に、上記一の方向に揺動させると該退避空間部に収容された該浮動くさび部材を押し出して該歯面と該ギア部とを噛合状態とさせる押し出し突部が、形成されている。
【０００７】
また、本発明は、一対の平行な壁部と、該壁部間に設けられて該壁部と第１軸心廻りに揺動可能に枢結されるギア部と、上記一対の壁部に形成されるくさび形窓部と、該くさび形窓部内にて移動可能に配設されかつ一面側が上記ギア部に噛合可能な歯面とされ他面側が上記くさび形窓部の外方側のくさび面に当接する当接面とされて該歯面が該ギア部に噛合しかつ該当接面が該くさび面に当接し該ギア部が一の方向へ揺動するのを抑制する浮動くさび部材と、を具備し、さらに、上記ギア部は、上記第１軸心を中心として形成され、上記くさび形窓部の上記くさび面は、該第１軸心と偏心する第２軸心を中心とした円弧形状に形成されたものである。
【０００８】
また、上記浮動くさび部材を上記ギア部へ押し付ける方向に弾発付勢する弾発部材を有する。
また、上記浮動くさび部材は、上記弾発部材に係止して上記くさび形窓部から脱落するのを防止する係止部が、形成されている。
【発明の効果】
【０００９】
本発明の角度調整金具は、ギア部が、壁部に対し、一の方向へ揺動しようとする際、浮動くさび部材の外方側の当接面がくさび形窓部のくさび面に当接し、かつ、ギア部に噛合する浮動くさび部材により、ギア部の中心に向かう圧迫力として力が作用するため、ギア部が、壁部に対し、上記の一方向へ揺動することが決してない。
逆に、ギア部を、（上記一の方向と反対の）他の方向へ揺動させると、浮動くさび部材の当接面は、窓部のくさび面から離れて、くさび面との間にわずかな隙間が生じ、さらに他方向へ揺動させることにより、浮動くさび部材の歯面がギア部から離れて、浮動くさび部材の歯面がギア部をカチカチと音をたて乗り越えることができる。
また、ギア部の引っ掛かりのみにて揺動を抑止するのではなく、浮動くさび部材におけるくさび面との当接力とギア部との噛合と上記圧迫力とにより揺動を抑止するため、ギア部の歯が小さくても、大きな荷重を受け持つことができる。また、ギア部の歯を小さくすることで、ギア部の歯数を増やすことができ、角度の切り換え段数を多くすることが可能となる。従って、折り畳み角度の微調整が可能となる。
【発明を実施するための最良の形態】
【００１０】
本発明に係る角度調整金具は、例えば、角度調整機能を有する関節金具（連結金具）として用いられ、この角度調整金具は、例えば、図１の斜視図に示すように、背部15と座部16とを有する座いすにおいて、背部15の傾斜角度を調整できるよう背部15と座部16との間に配設される。
なお、この金具Ａは、座いす以外にも、ソファー、ヘッドレスト、フットレスト等にも使用可能であり、また、２つの構成部材が揺動するものに組み込み可能であり、その他に、扉を揺動開閉させる棚等にも使用できる。
【００１１】
以下、図２〜図16に於ては、図１で示す座いす等に設けられる角度調整金具Ａを説明する。図２は、この角度調整金具Ａの斜視図であり、図３はその分解斜視図である。
この角度調整金具Ａは、ケース部３を備える第１アーム１と、ケース部３にて第１アーム１と第１軸心Ｃ1 廻りに揺動可能に枢結されると共に第１軸心Ｃ1 を中心とするギア部４を備える第２アーム２と、を備える。つまり、第１軸心Ｃ1 を中心として、第１アーム１と第２アーム２とが相互揺動可能となるよう枢着されている。
【００１２】
第１アーム１は、一対の対面する壁部17，17を有するケース部３と、ケース部３から延伸する第１取付部18と、を有し、第１取付部18は、図１では差し込み固定ができるよう円筒形状とされている。
また、第２アーム２は、上記ケース部３の内部に収容状態とされるギア部４と、ギア部４から延伸する第２取付部19と、を有し、第２取付部19は、図１では差し込み固定ができるよう円筒形状とされている。
【００１３】
ギア部４は、第１軸心Ｃ1 を中心とした円弧線に沿って形成されており、図３に示すように、四半円（９０°）を少し（１０〜３０°）越える範囲（１００〜１２０°）にギア（歯）を有する。なお、第１・第２取付部18，19の形状は、ボルトによる連結可能な構造や他の構造でもよい。
【００１４】
そして、図１においては、第１アーム１が有する第１取付部18に座部16のフレームが取着され、第２アーム２が有する第２取付部19に背部15のフレームが取着され、背部15が座部16に対して揺動し、背部15がリクライニングしかつ任意の傾斜角度にて保持される。
【００１５】
第１アーム１と第２アーム２との枢結は、図２と図３に示すように、軸部材20によるものであり、第１アーム１のケース部３が有する壁部17，17夫々の中央部に貫通孔21を設け、第２アーム２のギア部４に第１軸心Ｃ1 を中心とする貫通孔22を設け、壁部17，17にてギア部４を挟んだ状態として、軸部材20を貫通孔21，22に挿通させ、第１・第２アーム１，２が第１軸心Ｃ1 廻りに揺動可能となる。
【００１６】
さらに、角度調整金具Ａは、第１アーム１のケース部３に形成されるくさび形窓部５を備えている。くさび形窓部５は、ケース部３の壁部17，17に夫々同一形状で形成されており、ケース部３を貫通状としている。
図４は、角度調整金具Ａの要部を説明する説明図である。くさび形窓部５は、第１軸心Ｃ1 側に向かって凹となるよう弧状に形成された貫通孔であり、第１軸心Ｃ1 を中心側とした場合のこの貫通孔の外方側の面にはギア部４より外方側位置となる円弧状のくさび面８が形成され、内方側位置の面には第１軸心Ｃ1 を中心としギア部４よりも小径の円弧面23が形成されている。従って、ギア部４の歯は、くさび形窓部５から見える状態となる。
【００１７】
くさび面８は、第１軸心Ｃ1 と偏心する第２軸心Ｃ2 を中心とした円弧形状に形成されており、図４に示すように、第１アーム１を左手側とし第２アーム２を右手側とした場合に、くさび形窓部５は時計廻り方向に縮小する───くさび面８がギア部４に接近していく───くさび形の孔となる。
つまり、外方側のくさび面８とギア部４の外周歯面との間において空間部が形成され、その空間部に後述する浮動くさび部材６が配設される。
【００１８】
さらに、角度調整金具Ａは浮動くさび部材６を備えており、この部材６は、くさび形窓部５内にて移動可能に配設され、かつ、一面側（内方側の面）がギア部４に噛合可能な歯面７とされ、他面側（外方側の面）がくさび形窓部５の外方側のくさび面８に当接する当接面９とされている。
当接面９は、くさび形窓部５のくさび面８の曲率半径と（略）同一とされている。歯面７はギア部４のピッチ円の曲率半径と同一となる面に複数の歯が形成されており、これら歯が同時に全てギア部４と噛み合うようされている。
【００１９】
また、浮動くさび部材６の幅寸法はケース部３の幅寸法と略同一とされている。つまり、浮動くさび部材６の当接面９の両側縁部の面がくさび形窓部５（側壁17，17）のくさび面８に当接可能となる。
【００２０】
また、第２アーム２のギア部４の歯数はギア部４の四半円（９０°）につき１２〜２４とされ、浮動くさび部材６の歯面７の歯数は３〜９とされており、図４においては、ギア部４の歯数は四半円につき１８とされ、１１０°の範囲にわたって歯が形成され、歯数は全数で２２とされる。また、浮動くさび部材６の歯数は６とされている。
即ち、ギア部４及び浮動くさび部材６の歯面７の歯は、５°ピッチとされている。
【００２１】
また、第１アーム１のケース部３は、浮動くさび部材６を第２アーム２のギア部４へ押し付ける方向に弾発付勢する弾発部材13を有している。弾発部材13は、鋼線材をＵ字状に折り返して形成したバネ部材であり、両端部が壁部17，17間のケース部３に固定され中央部が浮動くさび部材６の当接面９の中央領域に当接する。そして、浮動くさび部材６をギア部４へ弾発付勢している。
【００２２】
そして、浮動くさび部材６は、くさび形窓部５内において移動可能に配設されているため、窓部５から抜け出ないよう脱落防止手段を有しており、図５（ａ）（ｂ）がその説明図である。脱落防止手段を具体的に説明すると、浮動くさび部材６は、弾発部材13に係止してくさび形窓部５から脱落するのを防止する係止部14が形成されている。
係止部14は、図５（ａ）に示すように、浮動くさび部材６の当接面９から一段高く形成された隆起部24とされ、図５（ｂ）に示すように、Ｕ字状に折り返され２本のバネ線材部を有する弾発部材13の各バネ線材部が隆起部24を挟むよう構成される。
【００２３】
また、図６（ａ）（ｂ）は、脱落防止手段の他の実施例の説明図であり、係止部14は、図６（ａ）に示すように、当接面９に２本の凹溝25，25が形成され、図６（ｂ）に示すように、Ｕ字状に折り返され２本のバネ線材部を有する弾発部材13の各バネ線材部が凹溝25に嵌まり込むよう構成される。
以上により、浮動くさび部材６は、ケース部３に固定された弾発部材13に係止部14が係止して、くさび形窓部５から脱落することがない。
さらに、図示省略するが、別の脱落防止手段としては、ケース部３の両外側においてくさび形窓部５を施蓋状とする薄板状の蓋部材を取着させてもよい。この場合、蓋部材は軸部材20（図３参照）を挿通させ保持されるよう構成すればよい。
【００２４】
また、図２と図３に示すように、ケース部３には、異物侵入防止用のカバー26が取着される。カバー26は、ギア部４とギア部４に噛み合う浮動くさび部材６とを覆うよう壁部17，17間に配設され、これらの間にゴミ等の異物が侵入して浮動くさび部材６が動作しなくなるのを防止できる。
【００２５】
次に、折り畳み・展開揺動動作する第１アーム１と第２アーム２の角度調整機能について説明する。
図７〜図11は、その動作を説明する角度調整金具Ａの正面図であり、説明のためにケース部３の一方側（手前側）の壁部17を途中から無くした（省略した）図としている。
また、図12と図13は、ギア部４とくさび形窓部５内の浮動くさび部材６の動作を説明する要部正面図である。
【００２６】
第１アーム１と第２アーム２とは、相互が離れた最大展開状態（図７）───第１アーム１と第２アーム２とが直線状（１８０°の位相）となる状態───から徐々に第２アーム２が第１軸心Ｃ1 廻りに揺動し、第１アーム１との間で任意の折り畳み角度で折り畳み状（傾斜状）となり（図８）、相互が略直角となる所定の最大折り畳み状態となる（図９）。
【００２７】
図12と図13と共に説明すると、図12（ａ）は図７の状態に対応し、浮動くさび部材６はギア部４に噛み合うと共にくさび面８に当接し、第２アーム２は図７において時計廻りにこれ以上揺動しない（ロックがかかる）。
この状態から図８に示すように第２アーム２を起立させる方向へ揺動させると、図12（ｂ）に示すように、弾発部材13（図５参照）にてギア部４へ弾発付勢され噛合する浮動くさび部材６の当接面９は、窓部５のくさび面８から離れて、くさび面８との間にわずかな隙間ｄが生じる。そして、第２アーム２の起立動作により図12（ｃ）に示すように、浮動くさび部材６の誘導勾配面（段付き面）27がくさび形窓部５の当り用段付部28と当接状となって、隙間ｄにより浮動くさび部材６の歯面７がギア部４から離れることができ、浮動くさび部材６の歯面７がギア部４をカチカチと音をたて乗り越えることができる。
【００２８】
この浮動くさび部材６の誘導勾配面27は、浮動くさび部材６の歯面７の後縁部に形成され、くさび形窓部５の段付部28は、くさび形窓部５の内方側の円弧面23に上記勾配面27と当接可能となるよう形成されている。
【００２９】
したがって、浮動くさび部材６は、歯面７がギア部４に噛合し、かつ、当接面９がくさび面８に当接し、ギア部４とくさび面８との間に挟まれる浮動くさび部材６のくさび作用により、第２アーム２が第１アーム１に対して展開方向へ揺動するのを抑制している。
つまり、任意の折り畳み角度（傾斜角度）に第１アーム１と第２アーム２とを維持させることができる。
【００３０】
そして、図13（ｄ）に示すように、第２アーム２は、第１アーム１に対して所定折り畳み角度を越えて最大折り畳み状態（図９）まで揺動すると、浮動くさび部材６を折り畳み方向に押圧する押し返し突部10を有する。
つまり、ギア部４（歯形成部）の一端部側に押し返し突部10が形成されており、この状態で、押し返し突部10が浮動くさび部材６の歯面７の前縁部に当接する。
【００３１】
そして、図10と図13（ｅ）に示すように、第２アーム２を最大折り畳み状態からさらに折り畳み方向へ揺動させると、押し返し突部10にて押し返された浮動くさび部材６（誘導勾配面27）が、上記段付部28を乗り越え、くさび形窓部５が有する退避空間部11に収容され、浮動くさび部材６の歯面７とギア部４との噛合状態を解除させる。つまり、退避空間部11に収容された浮動くさび部材６はギア部４から離れた状態にある。
【００３２】
従って、第２アーム２は、第１アーム１に対してフリー（揺動自在）となり図11のように、展開方向へ揺動自在となり、図７の最大展開状態へと戻すことができる。
そして、第２アーム２は、第１アーム１に対して所定角度（１８０°）の最大展開状態まで展開揺動させると、図13（ｆ）に示すように、退避空間部11に収容された浮動くさび部材６を押し出して歯面７とギア部４とを噛合状態とさせる押し出し突部12を有する。
【００３３】
押し出し突部12は、ギア部４の（押し返し突部10が形成された一端部側と反対側の）他端部側に形成されており、最大展開状態を得ると、突部12が浮動くさび部材６の誘導勾配面27を押圧して、浮動くさび部材６を退避空間部11から押出し、図12（ａ）の状態へと戻すことができる。
【００３４】
つまり、くさび形窓部５内における浮動くさび部材６の動作は、最大展開状態から最大折り畳み状態までは、浮動くさび部材６は、ギア部４とくさび面８とに挟まれてくさび作用により、くさび面８側の第１アーム１とギア部４側の第２アーム２とを任意の折り畳み角度（傾斜角度）に調整可能でその角度を維持させることができ、最大折り畳み状態を越えると、浮動くさび部材６は押し返し突部10により押圧されてくさび形窓部５の退避空間部11内に収容され、第１アーム１と第２アーム２とは揺動自由状態となる。
そして、最大展開状態に戻されると、浮動くさび部材６は押し出し突部12により押圧されて退避空間部11から押し出され、ギア部４と再び噛合状態となる。
【００３５】
また、図17の説明図に示すように、従来の金具では、第１アーム41と第２アーム42を折り畳み状態から最大展開状態に戻すために、最大折り畳み状態（８０°傾斜状態）からさらに大きく折り畳み方向へ第２アーム42を揺動させる必要があり、図17では、約２７°だけさらに揺動させる必要があった。
しかし、本発明の金具Ａを、図１の座いすに設けると、図16に示すように、第２アーム２を最大展開状態にするために、ギア部４の歯ピッチが小さく、また浮動くさび部材６のくさび形窓部５内での移動のみにてギア部４との噛み合いが解除されるため、最大折り畳み状態（８０°傾斜状態）から小さい揺動角度（約１５°）だけ第２アーム２を揺動させるのみでよい。
【００３６】
つまり、図１のような座いすにおいては、従来の金具Ａでは、背部15を大きく（垂直線から１７°）前のめりにしないと水平に戻すことができず、座った状態で角度を変更させる場合に体への負担が大きくなる。しかし、本発明では、背部15を垂直状態から少し（５°）前のめりにすることでよく、負担は減少され、快適な操作が可能となる。
また、図16に示すように、例えば、本発明では、折り畳み角度（傾斜角度）の調整ピッチが５°であり、０°から８０°傾斜状態とするまでに１７段階調整可能であるが、図17に示すように、従来では、折り畳み角度（傾斜角度）の調整ピッチが１６°であり、０°から８０°傾斜状態とするまでに６段階しかない。
【００３７】
次に、図14と図15の説明図により第２アーム２の構造について説明すると、図14（ａ）に示すように、金型塑性加工等にて左右反対勝手の半割アーム部材29，29を作製し、その後、これらを溶接等にて結合させ、図14（ｂ）に示すように第２アーム２を構成すればよい。
または、図15（ａ）のように、ギア部４とアーム部30とを別個、金型塑性加工等にて作製し、これらを接合させてもよい。
また、図示省略するが、第２アーム２を金型塑性加工等にて（複数工程を経て）一体成形してもよい。
【００３８】
また、本発明のギア部４と浮動くさび部材６とにおいて、歯（モジュール）をそのままにして、ギアのピッチ円の曲率半径を大きくすることで、強度を維持したまま、限りなく無段階に近い多段の角度調整金具（ラチェットギア部）を構成することができる。
または、図示したものよりもさらにモジュールを小さくすることで、よりコンパクトな多段の角度調整金具Ａを得ることができる。
【００３９】
以上のように、本発明によれば、第１軸心Ｃ1 廻りに揺動可能なギア部４と、くさび形窓部５と、くさび形窓部５内にて移動可能に配設されかつ一面側がギア部４に噛合可能な歯面７とされ他面側がくさび形窓部５の外方側のくさび面８に当接する当接面９とされて歯面７がギア部４に噛合しかつ当接面９がくさび面８に当接しギア部４が一の方向へ揺動するのを抑制する浮動くさび部材６と、を具備し、さらに、ギア部４は、第１軸心Ｃ1 を中心として形成され、くさび形窓部５のくさび面８は、第１軸心Ｃ1 と偏心する第２軸心Ｃ2 を中心とした円弧形状に形成されているため、ギア部４が、一の方向へ揺動しようとする際、浮動くさび部材６の外方側の当接面９がくさび形窓部５のくさび面８に当接し、かつ、ギア部４に噛合する浮動くさび部材６によりギア部４の中心に向かう圧迫力として作用するため、ギア部４が、上記の一の方向へ揺動することが決してない。
逆に、ギア部４を、（上記一の方向と反対の）他の方向へ揺動させると、浮動くさび部材６の当接面９は、窓部５のくさび面８から離れて、くさび面８との間にわずかな隙間ｄが生じ、さらに他方向へ揺動させることにより、浮動くさび部材６の歯面７がギア部４から離れて、浮動くさび部材６の歯面７がギア部４をカチカチと音をたて乗り越えることができる。
そして、効果的なくさび作用を発揮させ、また、浮動くさび部材６の移動、ギア部４との噛合・噛合解除動作がスムーズとなる。
【００４０】
また、ギア部４の引っ掛かりのみにて揺動を抑止するのではなく、浮動くさび部材６におけるくさび面８との当接力と、ギア部４との噛合と、上記圧迫力と、により揺動を抑止するため、ギア部４の歯（モジュール）は小さくても、大きな荷重を受け持つことができ、十分な強度を有するものとできる。また、ギア部４の歯を小さくすることで、ギア部４の歯数を増やすことができ、角度の切り換え段数を多くすることが可能となる。従って、折り畳み角度のピッチが小さくなって微調整が行なえる。
【００４１】
また、ギア部４の一部に、所定角度を越えて他の方向に揺動すると浮動くさび部材６を他の方向に押圧する押し返し突部10が、形成され、くさび形窓部５は、押し返し突部10にて押し返された浮動くさび部材６を収容して歯面７とギア部４との噛合状態を解除させる退避空間部11を有し、さらに、ギア部４の他部に、一の方向に揺動させると退避空間部11に収容された浮動くさび部材６を押し出して歯面７とギア部４とを噛合状態とさせる押し出し突部12が、形成されているため、浮動くさび部材６のくさび形窓部５内における移動により、ギア部４との噛合を解除させたり、再び噛合可能状態とさせることができ、角度調整動作が極めて簡単である。
【００４２】
また、本発明によれば、一対の平行な壁部17，17と、壁部17，17間に設けられて壁部17，17と第１軸心Ｃ1 廻りに揺動可能に枢結されるギア部４と、一対の壁部17，17に形成されるくさび形窓部５と、くさび形窓部５内にて移動可能に配設されかつ一面側がギア部４に噛合可能な歯面７とされ他面側がくさび形窓部５の外方側のくさび面８に当接する当接面９とされて歯面７がギア部４に噛合しかつ当接面９がくさび面８に当接しギア部４が一の方向へ揺動するのを抑制する浮動くさび部材６と、を具備し、さらに、ギア部４は、第１軸心Ｃ1 を中心として形成され、くさび形窓部５のくさび面８は、第１軸心Ｃ1 と偏心する第２軸心Ｃ2 を中心とした円弧形状に形成されているため、ギア部４が、一の方向へ揺動しようとする際、浮動くさび部材６の外方側の当接面９がくさび形窓部５のくさび面８に当接し、かつ、ギア部４に噛合する浮動くさび部材６によりギア部４の中心に向かう圧迫力として作用するため、ギア部４が、上記の一の方向へ揺動することが決してない。  逆に、ギア部４を、（上記一の方向と反対の）他の方向へ揺動させると、浮動くさび部材６の当接面９は、窓部５のくさび面８から離れて、くさび面８との間にわずかな隙間ｄが生じ、さらに他方向へ揺動させることにより、浮動くさび部材６の歯面７がギア部４から離れて、浮動くさび部材６の歯面７がギア部４をカチカチと音をたて乗り越えることができる。
そして、効果的なくさび作用を発揮させ、また、浮動くさび部材６の移動、ギア部４との噛合・噛合解除動作がスムーズとなる。
【００４３】
また、ギア部４の引っ掛かりのみにて揺動を抑止するのではなく、浮動くさび部材６におけるくさび面８との当接力と、ギア部４との噛合と、上記圧迫力と、により揺動を抑止するため、ギア部４の歯（モジュール）は小さくても、大きな荷重を受け持つことができ、十分な強度を有するものとできる。また、ギア部４の歯を小さくすることで、ギア部４の歯数を増やすことができ、角度の切り換え段数を多くすることが可能となる。従って、折り畳み角度のピッチが小さくなって微調整が行なえる。
【００４４】
また、浮動くさび部材６をギア部４へ押し付ける方向に弾発付勢する弾発部材13を有するため、使用に際し、浮動くさび部材６の誤動作を無くすることができる。
【００４５】
また、浮動くさび部材６は、弾発部材13に係止してくさび形窓部５から脱落するのを防止する係止部14が、形成されているため、使用に際し、浮動くさび部材６の誤動作、故障を無くすることができ、永久的に性能を発揮させることができる。
【図面の簡単な説明】
【００４６】
【図１】本発明の角度調整金具を有する座いすの斜視図である。
【図２】角度調整金具の斜視図である。
【図３】角度調整金具の分解斜視図である。
【図４】浮動くさび部材とギア部とくさび形窓部を説明する説明図である。
【図５】浮動くさび部材の脱落防止手段を説明する説明図である。
【図６】浮動くさび部材の脱落防止手段の他の実施例を説明する説明図である。
【図７】最大展開状態にある角度調整金具の正面図である。
【図８】任意の傾斜角度とされた角度調整金具の正面図である。
【図９】最大折り畳み状態にある角度調整金具の正面図である。
【図１０】角度保持解除状態とさせる角度調整金具の正面図である。
【図１１】展開方向へ第２アームを戻す状態にある角度調整金具の正面図である。
【図１２】最大展開状態から角度設定を行なう動作を説明する要部正面図である。
【図１３】最大折り畳み状態から展開方向へ第２アームを戻す動作を説明する要部正面図である。
【図１４】第２アームの構成を説明する斜視図である。
【図１５】第２アームの他の実施例における構成を説明する斜視図である。
【図１６】本発明の角度調整機能を説明する説明図である。
【図１７】従来の角度調整金具の角度調整を説明する説明図である。
【符号の説明】
【００４７】
４  ギア部
５  くさび形窓部
６  浮動くさび部材
７  歯面
８  くさび面
９  当接面
10  押し返し突部
11  退避空間部
12  押し出し突部
13  弾発部材
14  係止部
17  壁部
Ｃ1   第１軸心
Ｃ2   第２軸心
【図１】
2005199087.tif 000003
【図２】
2005199087.tif 000004
【図３】
2005199087.tif 000005
【図４】
2005199087.tif 000006
【図５】
2005199087.tif 000007
【図６】
2005199087.tif 000008
【図７】
2005199087.tif 000009
【図８】
2005199087.tif 000010
【図９】
2005199087.tif 000011
【図１０】
2005199087.tif 000012
【図１１】
2005199087.tif 000013
【図１２】
2005199087.tif 000014
【図１３】
2005199087.tif 000015
【図１４】
2005199087.tif 000016
【図１５】
2005199087.tif 000017
【図１６】
2005199087.tif 000018
【図１７】
2005199087.tif 000019